(57)【要約】【課題】送信周波数表示と送信周波数の使用状況の有無とを同時に確認でき、またメモリチャネルの周波数を受信しながらの変更を容易とする機能をそなえた携帯型無線機を提供する。【解決手段】携帯型無線機１００の送信および受信の周波数を予め定めた操作により可変させるロータリエンコーダ１０２と、携帯型無線機１００にて受信し復調した信号の出力をミュートするミュート部２０３と、ミュートを解除するモニタスイッチ１０６と、周波数のデータと任意の文字列のデータとを組みにしたメモリチャネルを一つ以上記憶し読み出し可能な記憶部２１０と、を備え、前記メモリチャネルが文字列で表示されている場合に、モニタスイッチ１０６が操作されることにより文字列と組となる周波数を表示させる。【選択図】  図２
2011259139.tif 000002
【特許請求の範囲】
【請求項１】
送信すべき信号を変調し送信する送信部と受信信号を受信し復調する受信部とを備える無線部と、
前記無線部の少なくとも送信または受信する周波数を予め定めた操作により可変させる周波数操作部と、
前記無線部にて受信し復調した信号の出力をミュートするミュート部と、
ミュートを特定の操作によって解除するミュート解除操作部と、
前記周波数のデータと任意の文字列のデータとを組みにしたメモリチャネルを記憶する記憶部と、
前記周波数または前記文字列を表示する表示部と、
前記メモリチャネルが前記文字列で前記表示部に表示され、前記ミュート解除操作部が操作された場合に前記文字列と組となる周波数を表示させる表示制御部と、
を備える携帯型無線機。
【請求項２】
前記携帯型無線機の予め定めた各種設定を行う操作部を有し、前記ミュート解除操作部は片手にて操作可能な配置とし、前記ミュート解除操作部を一方の手にて操作する場合に、前記操作部は前記ミュート解除操作部を操作する手に干渉しない位置でかつ他方の手にて操作可能な位置に配置したこと、
を特徴とする請求項１に記載の携帯型無線機。
【請求項３】
受信信号の有無を判断するミュート制御部を備え
前記ミュート制御部は、信号が無の場合は受信出力をミュートすることを特徴とする請求項２に記載の携帯型無線機。
【請求項４】
受信信号に含まれる自局宛の特定の信号の有無を判断するミュート制御部を備え、
前記ミュート制御部は、前記特定の信号が無の場合は、受信出力をミュートすることを特徴とする請求項２に記載の携帯型無線機。
【請求項５】
前記ミュート解除操作部が操作され、前記表示部を周波数表示とした場合に、前記周波数操作部の操作によって周波数を変更可能な状態とすること特徴とする請求項３または請求項４に記載の携帯型無線機。
【請求項６】
前記ミュート解除操作部が操作され周波数表示となり、前記周波数操作部の操作によって周波数が変更され、前記ミュート解除操作を終了した時点で、変更された周波数を最後に読み出したメモリチャネルの新たな周波数として上書きすることを特徴とする請求項５に記載の携帯型無線機。
【請求項７】
前記ミュート解除操作部が操作され周波数表示となり、前記周波数操作部の操作によって周波数を変更され、前記ミュート解除操作を終了した時点で、変更された周波数を破棄すること特徴とする請求項５に記載の携帯型無線機。
【請求項８】
前記ミュート解除操作部が操作され周波数表示となり、前記周波数操作部の操作によって周波数を変更され、ミュート解除操作を終了した時点で、変更された周波数を最後に読み出されたメモリチャネルの新たな周波数として上書きする設定と、
前記ミュート解除操作部が操作され周波数表示となり、前記周波数操作部の操作によって周波数を変更され、前記ミュート解除操作を終了した時点で、変更された周波数を破棄する設定と、
のいずれか一方の設定をメモリチャネル毎に記憶すること特徴とする請求項５に記載の携帯型無線機。
【請求項９】
さらに送信周波数と受信周波数とを切り換えて受信を行う受信周波数切替手段を備え、
前記ミュート解除操作部が操作中に前記受信周波数切替手段が操作される毎に前記送信周波数と前記受信周波数とを交互に表示すること、
を特徴とする請求項５に記載の携帯型無線機。
【請求項１０】
前記ミュート解除操作部が操作され、前記表示部が受信周波数表示とされた場合に、前記周波数操作部の操作によって受信周波数が変更可能な状態とすること特徴とする請求項９に記載の携帯型無線機。
【請求項１１】
前記ミュート解除操作部が操作され、前記表示部が受信周波数表示とされ、さらに前記受信周波数切替手段が操作され前記送信周波数が表示された場合に、前記周波数操作部の操作によって前記送信周波数が変更可能な状態とすること特徴とする請求項９に記載の携帯型無線機。
【請求項１２】
前記ミュート解除操作部が操作され、前記表示部が受信周波数表示とされた場合に、前記周波数操作部の操作によって前記送信周波数と前記受信周波数との差を保ったまま前記送信周波数と前記受信周波数が同時に変更可能な状態とすること特徴とする請求項９に記載の携帯型無線機。
【発明の詳細な説明】
【技術分野】
【０００１】
本発明は、携帯型無線機のメモリチャネルの周波数の信号を受信しながらメモリチャネルの周波数を変更可することができる携帯型無線機に関する。
【背景技術】
【０００２】
携帯型無線機は、あらかじめ定められた周波数範囲を送受信することが可能に設計されている。しかし通常は周波数範囲の全てを使うわけではなく、特定の周波数を用いることが多く、その特定の周波数をメモリチャネルに記憶し、必要に応じて記憶した特定の周波数をメモリチャネルから呼び出し使用する。
しかし、周波数の表示では用途が判りにくいため、用途が判りやすい文字列（以後メモリーネームと記載する）を周波数データと共にメモリチャネルに記憶させ、メモリチャネルを呼出す際にメモリネームを見てそのメモリチャネルの用途の判断を容易にすることが従来から行われている。
【０００３】
また、アマチュア無線では、送信する周波数であらかじめ受信し、他局への妨害をあたえないことを確認してから送信を行うことが慣例化している。
携帯型無線機であって、特にＦＭ変調方式を使用する場合は、受信信号が無い場合には、受信信号出力は大きな雑音となる。そのため携帯型無線機は、復調後の音声帯域外の雑音成分を検出して整流し、受信信号がなく雑音が多い場合には受信出力をミュートするスケルチ回路を備えている。一般的に受信信号が無くミュートされた状態をスケルチが閉じる、受信信号によってミュートが解除された状態をスケルチが開くという。ミュートを行う閾値は使用者が可変できるようになっている場合が多い。
そのため、閾値に達しない信号を受信していてもスケルチが開かない場合もあることから、スケルチが閉じた状態であっても、信号確認ができるようにワンタッチでスケルチを開くモニタスイッチを備える携帯型無線機もある。
通常筐体の側面にＰＴＴ（Push To Talk）スイッチを備えており、片手での操作のし易さから、ＰＴＴスイッチの近傍にモニタスイッチを備えることが多い。
特許文献１には、受信機の外側に配置され、操作者による任意の選択操作を可能とした操作手段と、操作手段における操作者の選択に基づいて、識別手段の出力と出力手段の関係を解除し、デジタルコードが不一致の場合でも出力手段における受信信号の再生使用を許可する制御手段とを設けた構成の受信機が記載されている。
スケルチによってミュートされている場合以外であっても、特許文献１の技術により、モニタスイッチ（操作手段）を操作することで、自局宛に設定されたデジタルコードが含まれる信号を受信していなくてもミュートを解除することにより、受信状態として、使用する受信周波数で送信している局の有無を確認することができる。
【先行技術文献】
【特許文献】
【０００４】
【特許文献１】特開平６−２７６１１０号公報
【発明の概要】
【発明が解決しようとする課題】
【０００５】
従来、特に携帯型無線機では表示器の面積を大きくすることが困難なため、メモリチャネルを呼出して運用する場合は、表示を周波数表示とするかメモリネーム表示とするかのどちらかを選択して表示していた。
また携帯型無線機は、スペースの関係で限られた操作スイッチ数しか備えていない場合が多く、メモリの書き込みや編集といった機能は複雑な操作を必要とした。
さらに、記憶された周波数を運用中に変更しなければならない場合には、煩雑なメモリ書き込み操作を再度行う必要があった。
【０００６】
アマチュア局では、無線局運用規則  第８章第２５８条の規定により「アマチユア局は、自局の発射する電波が他の無線局の運用又は放送の受信に支障を与え、若しくは与える虞があるときは、すみやかに当該周波数による電波の発射を中止しなければならない。」とされてことから、予め送信を行う周波数で受信を行い他局に妨害を与えないことを確認してから送信を行うといった運用を行っている。
スケルチが閉じ受信出力がミュートされている場合であってもスケルチが開かない信号強度の信号を受信している場合もあるため、一般的にはスケルチを開く操作を行い、ミュートを解除し信号の有無を確認する。そのためスケルチを1タッチで開くことができるモニタスイッチを備えている。
また、アマチュア局は、無線局運用規則第８章第２５７条の規定により、「アマチユア局においては、その発射の占有する周波数帯幅に含まれているいかなるエネルギーの発射も、その局が動作することを許された周波数帯から逸脱してはならない。」とされており、
メモリネームで表示している場合は、スケルチを開いて受信を行っても、周波数が表示されていないため周波数を確認することができない。
本発明はこのような問題点に鑑みなされたものであり、通常はどのような用途のメモリチャネルなのかが認識しやすく、また送信前に周波数表示と使用する周波数の使用状況の有無とを同時に確認でき、またメモリチャネルの周波数を受信しながらメモリチャネルの周波数を変更可能とする携帯型無線機を提供することを目的とする。
【課題を解決するための手段】
【０００７】
本発明は、上述した従来の技術の課題を解決するため、
送信すべき信号を変調し送信する送信部と受信信号を受信し復調する受信部とを備える無線部と、
前記無線部の少なくとも送信または受信する周波数を予め定めた操作により可変させる周波数操作部と、
前記無線部にて受信し復調した信号の出力をミュートするミュート部と、
ミュートを特定の操作によって解除するミュート解除操作部と、
前記周波数のデータと任意の文字列のデータとを組みにしたメモリチャネルを記憶する記憶部と、
前記周波数または前記文字列を表示する表示部と、
前記メモリチャネルが前記文字列で前記表示部に表示され、前記ミュート解除操作部が操作された場合に前記文字列と組となる周波数を表示させる表示制御部と、
を備える携帯型無線機を提供する。
【０００８】
さらに本発明は、
前記携帯型無線機の予め定めた各種設定を行う操作部を有し、前記ミュート解除操作部は片手にて操作可能な配置とし、前記ミュート解除操作部を一方の手にて操作する場合に、前記操作部は前記ミュート解除操作部を操作する手に干渉しない位置でかつ他方の手にて操作可能な位置に配置してもよい。
【０００９】
また本発明は、
受信信号の有無を判断するミュート制御部を備え
前記ミュート制御部は、信号が無の場合は受信出力をミュートしてもよい。
【００１０】
あるいは、
受信信号に含まれる自局宛の特定の信号の有無を判断するミュート制御部を備え、
前記ミュート制御部は、前記特定の信号が無の場合は、受信出力をミュートしてもよい。
【００１１】
さらに本発明は、
前記ミュート解除操作部が操作され、前記表示部を周波数表示とした場合に、前記周波数操作部の操作によって周波数を変更可能な状態としてもよい。
【００１２】
また本発明は、
前記ミュート解除操作部が操作され周波数表示となり、前記周波数操作部の操作によって周波数が変更され、前記ミュート解除操作を終了した時点で、変更された周波数を最後に読み出したメモリチャネルの新たな周波数として上書きしてもよい。
【００１３】
あるいは、前記ミュート解除操作部が操作され周波数表示となり、前記周波数操作部の操作によって周波数を変更され、前記ミュート解除操作を終了した時点で、変更された周波数を破棄してもよい。
【００１４】
さらにまた、前記ミュート解除操作部が操作され周波数表示となり、前記周波数操作部の操作によって周波数を変更され、ミュート解除操作を終了した時点で、変更された周波数を最後に読み出されたメモリチャネルの新たな周波数として上書きする設定と、
前記ミュート解除操作部が操作され周波数表示となり、前記周波数操作部の操作によって周波数を変更され、前記ミュート解除操作を終了した時点で、変更された周波数を破棄する設定と、のどちらか一方の設定をメモリチャネル毎に記憶してもよい。
【００１５】
さらに送信周波数と受信周波数とを切り換えて受信を行う受信周波数切替手段を備え、
前記ミュート解除操作部が操作中に前記受信周波数切替手段が操作される毎に前記送信周波数と前記受信周波数とを交互に表示してもよい。
【００１６】
また前記ミュート解除操作部が操作され、前記表示部が受信周波数表示とされた場合に、前記周波数操作部の操作によって受信周波数が変更可能な状態としてもよい。
【００１７】
さらに、前記ミュート解除操作部が操作され、前記表示部が受信周波数表示とされ、さらに前記受信周波数切替手段が操作され前記送信周波数が表示された場合に、前記周波数操作部の操作によって前記送信周波数が変更可能な状態としてもよい。
【００１８】
また、前記ミュート解除操作部が操作され、前記表示部が受信周波数表示とされた場合に、前記周波数操作部の操作によって前記送信周波数と前記受信周波数との差を保ったまま前記送信周波数と前記受信周波数が同時に変更可能な状態としてもよい。
【発明の効果】
【００１９】
モニタスイッチを操作することによって周波数の確認ができ、モニタスイッチを操作中は、同時にミュートも解除されるため受信信号の確認ができる。
【図面の簡単な説明】
【００２０】
【図１】本発明の一実施例の外嵌図である。
【図２】モニタスイッチの配置の一実施例の図である。
【図３】本発明の一実施例のブロック図である。
【図４】本発明の一実施例のフローチャート図である。
【図５】本発明の一実施例の記憶部のブロック図である。
【発明を実施するための形態】
【００２１】
以下、本発明の携帯型無線機の実施形態を、添付図面を参照して説明する。
図１は、一実施例である携帯型無線機１００の外観斜視図である。
天面にアンテナ１０１と、周波数操作用のロータリエンコーダ１０２とを備える。
前面には、スピーカグリル１０３と、マイク孔１０４と、表示部１０７と、電源スイッチ１０８と、ＶＦＯ／メモリ切替スイッチ１０９と、メモリ書き込みスイッチ１１０と、十字キー１１１と、を備える。
ＶＦＯの本来の意味は、Variable Frequency Oscillatorの略で可変周波数発振器のことである。しかし特定の周波数をメモリチャネルに記憶して運用するメモリチャネルモードに対し、周波数を予め定められた周波数間隔で可変可能な運用をＶＦＯモードと呼ぶことは当業者では慣例となっている。
【００２２】
側面には、ＰＴＴスイッチ１０５およびモニタスイッチ１０６を備える。
スピーカグリル１０３の内部にはスピーカが配置され、マイク孔１０４の内部にはマイクが配置される。
電源スイッチ１０８は、携帯型無線機１００の電源をオンまたはオフする。
ＶＦＯ／メモリ切替スイッチ１０９は、ロータリエンコーダ１０２の操作によって予め定められた周波数間隔で周波数が可変なＶＦＯモードと、ロータリエンコーダ１０２の操作によってメモリチャネルを切り換えるメモリチャネルモードと、を切り換えるスイッチである。
メモリ書き込みスイッチ１１０は、ＶＦＯモードにて設定した周波数をメモリチャネルに記憶させるスイッチである。
十字キー１１１は、上下左右にスイッチを備え、各種機能の設定等を行うスイッチであり、メモリチャネルの周波数表示の代わりに表示する任意の文字列（メモリネーム）を入力するために、文字の選択や決定を行う用途にも使用する。
表示部１０７は、一般的にＬＣＤ（液晶表示器）が用いられ、すくなくともＶＦＯモード時には送信または受信の周波数を表示し、メモリチャネルモード時には、メモリチャネルと周波数、またはメモリネームが表示される。
【００２３】
ＰＴＴスイッチ１０５およびモニタスイッチ１０６は、図１のように、どちらのスイッチも片手で操作できる配置となっている。
そのため、携帯型無線機１００の前面に設けたスイッチ（各種設定を行う十字キー１１１等）は、ＰＴＴスイッチ１０５またはモニタスイッチ１０６を操作中であっても、もう一方の手で操作可能な干渉しない位置となっている。よってＰＴＴスイッチ１０５もしくはモニタスイッチ１０６を操作しながら、上面のロータリエンコーダ１０２や前面に設けたスイッチを操作することができる。
ＰＴＴスイッチ１０５は、押す（オンにする）ことにより携帯型無線機１００が送信状態となり、離す（オフにする）と受信状態になる。
モニタスイッチ１０６は、スケルチを開くためには十分な信号強度の信号を受信していない場合に押す（オンにする）とスケルチが開きミュートが解除されて受信音声が出力され、離す（オフにする）とスケルチが閉じ受信音声出力がミュートされる。
【００２４】
図２は、携帯型無線機１００の内部構成図を示す図である。
アンテナ１０１は、図１の外観上のアンテナ１０１であり、電波を受信して受信信号に変換し、また携帯型無線機１００の送信信号を電波に変換し送信する。
無線部２０１は、アンテナ１０１より受信した受信信号を復調する。
復調された復調信号は、後述するミュート部２０２を通り、スピーカ２０３で音声信号として出力される。
また無線部２０１は、マイク２０５より検出した音声信号を変調して送信信号に変換し、アンテナ１０１より送信する。
無線部２０１は、図示しないバッテリ等の電源部により電力を供給され動作する。
【００２５】
ミュート部２０２は、制御部２０５内のミュート制御部２０５ａからのミュート制御信号によって無線部２０１からの復調信号を断続する。
ミュート制御部２０５ａは、無線部２０１内の記述しないノイズスケルチ回路からのノイズ検波信号のレベルに対してあらかじめ設定した閾値以上ならばミュートし、閾値を下回った場合にミュートを解除するようにミュート部２０２を制御する。
モニタスイッチ１０６は、操作される（押される）ことによりミュート制御部２０５ａにミュート解除指示の信号を出力するミュート解除操作部である。
ミュート制御部２０５ａは、ミュート解除指示の信号を受けることにより、ノイズ検波信号が閾値以上であってもミュート部２０２にミュート解除の指示を出す。
ミュート部２０２は、ミュート制御部２０５ａからミュート解除信号を受けることによりミュートを解除する。
【００２６】
ロータリエンコーダ１０２は、無線部２０１が送信する周波数および受信する周波数を可変するための周波数操作部であり、回転させることにより発生する２相のパルス数と位相とから周波数のアップまたはダウンといった周波数変更指示に変換し、制御部２０５内の周波数制御部２０５ｃに出力する。
周波数制御部２０５ｃは、周波数変更指示を受け、無線部２０１の送信周波数もしくは受信周波数を設定する周波数設定信号を出力する。
さらに周波数制御部２０５ｃは、周波数変更指示に対応した周波数を表示部１０７に表示するよう表示制御部２０５ｂに対し周波数表示変更信号を出力する。
周波数設定信号を受けた無線部２０１は、変更された送信周波数または受信周波数を設定し、送信もしくは受信を行う。
周波数表示変更信号を受けた表示制御部２０５ｂは、変更された周波数を表示するよう表示部１０７に対し表示指示信号を出力する。
表示部１０７は、表示指示信号を受けたことにより周波数を表示する。
【００２７】
ロータリエンコーダ１０２は、メモリチャネルモード時は複数のメモリチャネルを切り換える動作となる。
ロータリエンコーダ１０２は、回転させることにより発生する２相のパルス数と位相とからメモリチャネルをアップまたはダウンといったメモリチャネル変更指示に変換し、制御部２０５内のメモリチャネル制御部２０５ｄに出力する。
メモリチャネル制御部２０５ｄは、使用するメモリチャネルのデータを記憶部２１０より読み出す。記憶部２１０の詳細およびメモリチャネルのデータに関しては後に示す。
【００２８】
メモリチャネル制御部２０５ｄは、メモリチャネルデータ内の周波数データを周波数制御部２０５ｃに出力する。
周波数制御部２０５ｃは、周波数データを受け、無線部２０１の送信周波数もしくは受信周波数を設定する周波数設定信号を出力する。
周波数設定信号を受けた無線部２０１は、変更された送信周波数または受信周波数を設定し、送信もしくは受信を行う。
メモリチャネル制御部２０５ｃは、メモリチャネルの周波数データに対応した周波数を表示部１０７に表示するよう表示制御部２０５ｂに対し周波数表示変更信号を出力する。
周波数表示変更信号を受けた表示制御部２０５ｂは、変更された周波数を表示するよう表示部１０７に対し表示指示信号を出力する。
表示部１０７は、表示指示信号を受けたことにより周波数を表示する。
【００２９】
またメモリチャネル制御部２０５ｄは、メモリチャネルモード時に表示部１０７にメモリネームを表示する設定とした場合は、メモリチャネルデータ内の文字データを表示制御部２０５ｂに出力する。
文字データを受けた表示制御部２０５ｂは、メモリネームを表す文字列を表示するよう表示部１０７に対し表示指示信号を出力する。
表示部１０７は、表示指示信号を受けたことによりメモリネームを表す文字列を表示する。
【００３０】
メモリチャネルモードでかつメモリネーム表示の場合であって、モニタスイッチ１０６が押されている間はミュートを解除すると共に、表示制御部２０５ｂは、メモリネームと組となる周波数を表示するように表示部１０７に指示を行い、表示部１０７はメモリネームと組となる周波数を表示する。
【００３１】
記憶部２１０は、メモリチャネルデータを１つ以上記憶する。
図３に図２の記憶部２１０の詳細を示す。
図３（ａ）の記憶部２１０Ａは、メモリチャネルに記憶された周波数が受信と送信とで同じ場合で例である。
メモリチャネルデータ（２１１，２１２・・・）は、すくなくとも周波数データ（２１１Ａ，２１２Ａ・・・）とメモリネームの文字データ（２１１Ｂ，２１２Ｂ・・・）とを一組のメモリチャネルデータとして記憶する。メモリチャネルの数は問わない。メモリチャネルの入力方法に関しては後に記載する。
【００３２】
ＶＦＯ／メモリ切替スイッチ１０９が操作されると、ＶＦＯモードの場合はメモリチャネルモードに、メモリチャネルモードの場合はＶＦＯモードに切り替える。
ＶＦＯモードからメモリチャネルモードに切り替えた場合、切り替える直前の周波数を記憶し（図示しない一次記憶部に記憶する）、最後に使用したメモリチャネルに切り替える。
またメモリチャネルモードからＶＦＯモードに切り替えた場合、切り替える直前のメモリチャネルを記憶し（図示しない一次記憶部に記憶する）、最後に使用したＶＦＯモードの周波数に切り替える。
【００３３】
まず、第１の実施例の動作について述べる。
携帯型無線機１００は、ＶＦＯモードもしくはメモリチャネルモード（たとえばメモリチャネルデータ２１１を呼び出しているとする）であっても周波数（メモリチャネルデータ２１１に記憶された周波数データ２１１Ａの周波数ｆ１）を表示している場合、モニタスイッチ１０６が押されている間はミュートが解除されるが、表示は周波数ｆ１を表示しているため変化しない。
携帯型無線機１００は、メモリチャネルモード（たとえばメモリチャネルデータ２１１を呼び出しているとする）であって、表示をメモリネーム（文字データ２１１Ｂに記憶された文字列「ＡＢＣ」とする）としている場合に、モニタスイッチ１０６が押されると、押されている間はミュートが解除され、さらにメモリネームと組として記憶されている周波数「ｆ１」を表示する。
使用者は、ミュートが解除されたことにより受信した周波数「ｆ１」での信号の有無と、表示が周波数表示となったことでメモリチャネルに記憶された周波数「ｆ１」を確認することができる。
携帯型無線機１００は、モニタスイッチ１０６が離されると再びミュートされ、表示部１０７にはメモリネーム「ＡＢＣ」が表示される。
【００３４】
第１の実施例の動作では、メモリネーム「ＡＢＣ」でメモリチャネルを表示している場合でかつモニタスイッチ１０６が押されている間は周波数表示「ｆ１」となり、ロータリエンコーダ１０２が操作されることにより周波数が変更可能となる。
さらに携帯型無線機１００は、モニタスイッチ１０６が押され、ミュートが解除かつ周波数表示「ｆ１」となった状態でロータリエンコーダ１０２が操作されると予め定められた周波数間隔で周波数が変更される。
携帯型無線機１００は、ロータリエンコーダ１０２が操作されることによって周波数「ｆ１」が「ｆ１´」となったとする。
その後携帯型無線機１００は、モニタスイッチ１０６が離されると、ミュートし、表示をメモリネーム表示「ＡＢＣ」とし、呼出されていたメモリチャネルデータ２１１の周波数データ２１１Ａに変更した周波数「ｆ１´」の周波数データを上書きして記憶する。
【００３５】
第1の実施例の動作では、変更した周波数が呼出されたメモリチャネルに上書きされ記憶されることになる。この動作は受信信号の有無に係わらず可能である。よって、メモリチャネルの周波数の確認およびメモリチャネルの周波数にて送信を行っている局の有無の確認ができるだけでなく、すでに入力されているメモリチャネルの周波数を容易に編集することが可能となる。
これを第１の実施例で記載したメモリチャネル２１１を例として図４のフローチャートにより説明する。
【００３６】
携帯型無線機１００は、モニタスイッチ１０６が押されていない状態ではロータリエンコーダ１０２はメモリチャネルを切り換える動作となっているため、メモリチャネルを選択可能な状態であり、編集を行いたいメモリチャンネルｎ（メモリチャネル２１１の内容が記憶されたチャネルとする）が選択される（ステップＳ４０１）。
モニタスイッチ１０６が押される（ステップＳ４０２）ことにより、スケルチが開きミュートを解除し（ステップＳ４０３）、メモリチャネルｎのメモリネーム表示「ＡＢＣ」を周波数表示「ｆ１」に切り替える（ステップＳ４０４）。
ステップ４０３とステップ４０４とは順番は問わず、同時でもよい。
このとき操作者は、メモリチャネルｎの周波数「ｆ１」の確認と、ミュートが解除されたことにより周波数「ｆ１」を受信でき、周波数ｆ１にて送信している局の有無を確認することができる。
【００３７】
操作者は、モニタスイッチ１０６を押している間は（ステップＳ４０５でＮｏ）、ロータリエンコーダ１０２を操作することにより周波数を可変することができる。
携帯型無線機１００は、エンコーダ１０２が操作されると（ステップＳ４０６でＹｅｓ）、周波数「ｆ１」からあらかじめ設定された周波数間隔で周波数が変更され、周波数「ｆ１´」が表示され、周波数「ｆ１´」の受信を行う（ステップＳ４０７）。
エンコーダ１０２が操作されない場合（ステップＳ４０６でＮｏ）の場合は、周波数「ｆ１」の受信が継続される。
【００３８】
その後、モニタスイッチ１０６が離されると（ステップＳ４０５でＹｅｓ）、スケルチが閉じミュートされる。
【００３９】
モニタスイッチ１０６が押されている間に、周波数が「ｆ１´」に変更された場合は（ステップＳ４０９でＹｅｓ）、メモリチャネルｎに記憶されていた周波数「ｆ１」を「ｆ１´」に変更し記憶し、表示をメモリチャネルｎのメモリネーム表示「ＡＢＣ」に切り替える(ステップＳ４１１)。
ステップＳ４０９にて、周波数の変更が行われていない場合は（ステップＳ４０９でＮｏ）、新たに周波数を記憶することなく、メモリチャネルｎのメモリネーム「ＡＢＣ」を表示する。
また、ステップＳ４０９の判断を無くし、エンコーダの操作の有無に係わらずモニタスイッチを離す直前に表示されていた周波数を新たなメモリチャネルｎの周波数として保存してもよい。
これらの操作により編集したいメモリチャネルの周波数を目的とした周波数に書き換えることが容易にできる。
【００４０】
次に、第２の実施例の動作について述べる。
第２の実施例の構成は第１の実施例と同じであるが以下の点で動作が異なる。
携帯型無線機１００は、モニタスイッチ１０６が押され、ミュートが解除かつ周波数表示「ｆ１」となった状態でロータリエンコーダ１０２が操作されると予め定められた周波数間隔で周波数が変更される。
携帯型無線機１００は、ロータリエンコーダ１０２の操作によって周波数「ｆ１」が「ｆ１´」となったとする。
その後携帯型無線機１００は、モニタスイッチ１０６が離されると、ミュートし、表示をメモリネーム表示「ＡＢＣ」とし、変更された周波数「ｆ１´」のデータを破棄し、呼出されていたメモリチャネルデータ２１１の周波数データ２１１Ａは周波数「ｆ１」に維持される。
よって使用しているメモリチャネルの内容は変更されない。
第２の実施例では、メモリチャネルに記憶した内容は、安易に変更できないように保護される。
【００４１】
第１の実施例の動作と第２の実施例の動作とでは、用途に応じてそれぞれが有益となるため、機能によりどちらかに設定してもよい。
また、メモリチャネル毎に第１の実施例の動作の設定とするか第２の実施例の設定とするかを選択できてもよい。
【００４２】
さらに、第３の実施例の動作の一例について以下に述べる。
通信の運用上、送信周波数と受信周波数とが異なる場合もある。
たとえば、中継局を中継して交信を行う場合、中継局は同時に送信と受信とを行う必要があるため送信周波数と受信周波数とは同じ周波数を使用しない。
そのため携帯型無線機１００が中継局を中継して交信を行う場合は、中継局の送信周波数を携帯型無線機１００の受信周波数として、中継局の受信周波数を携帯型無線機１００の送信周波数として、受信周波数と送信周波数とが異なる（以降はスプリット運用と記載する）設定とする必要がある。
また、無線機２局間で、一方の送信周波数を他方の受信周波数とし、一方の受信周波数を他方の送信周波数として全二重通信とした場合も送信周波数と受信周波数が異なる設定となる。
【００４３】
スプリット運用の設定では、携帯型無線機内部では送信周波数データと受信周波数データとの２つが設定される。
メモリチャネルに記憶される場合、図５に示す記憶部２１０Ｂのように、少なくとも送信周波数データ（２２１Ｔ，２２２Ｔ・・・）と受信周波数データ（２２１Ｒ，２２２Ｒ・・・）とメモリネームデータ（２２１Ｃ，２２２Ｃ・・・）とを１組として記憶する。
【００４４】
スプリット運用方式でモニタスイッチを押されて受信するのは受信周波数である。中継機を介した通信を行うのであれば、中継局からの送信周波数を受信することで使用状況の判断は可能であるが、前記した全二重通信の場合は送信する周波数を受信することは実施例１および実施例２の方法ではできない。
【００４５】
そのため、第３の実施例の構成は、携帯型無線機１００に送信周波数と受信周波数とを切り換える機能（以下リバース機能と記載する）をさらに備える。別途専用のスイッチを、モニタスイッチ１０６を操作する手と干渉しない前面に備えてもよいが、モニタスイッチ１０６を押している間のみ、前面側のいずれかのスイッチが送信周波数と受信周波数とを切り換えるスイッチとして機能してもよい。
【００４６】
第１および第２の実施例と同様に、モニタスイッチを押している間はロータリエンコーダ１０２を操作することにより周波数の変更が可能となる。
第３の実施例では、受信周波数を見ながら、かつ受信周波数を受信しながら受信周波数を変更することができるのはもちろん、リバース機能を用いることにより、送信周波数に変更し、送信周波数を見ながら、かつ送信周波数を受信しながら送信周波数を変更することが可能となる。
【００４７】
また第１および第２の実施例同様、変更した周波数をメモリチャネルに上書きする方法としてもよいし、変更した周波数は破棄してもよい。
【００４８】
さらにまた、モニタスイッチ１０６を押している間に、ロータリエンコーダを操作した時、送信周波数と受信周波数の差であるオフセット周波数を保ったまま送信周波数と受信周波数とが同時に変更されてもよい。
【００４９】
スケルチ回路の動作によって受信出力がミュートされる例以外にも、特許文献1のように受信したデジタルコードが一致した場合等、自局宛の特定信号が受信された場合にミュートが解除される方式に対しても応用できる。
【００５０】
また、メモリチャネルをメモリネーム表示ではなく周波数表示となっている場合であっても、以上に示したようなモニタスイッチ１０６を押している間に可能なメモリ編集機能を備えてもよい。
【００５１】
メモリチャネルの書き込みの操作方法に関しては、メモリ書き込みスイッチ１１０を１回押すとメモリ書き込み待機状態となり、表示部１０７はメモリチャネル表示となる。エンコーダ１２を操作することにより書き込みたいメモリチャネルを選んで、もう一度メモリ書き込みスイッチ１１０を押すことにより書き込みが行われる。
またメモリ書き込み方法は上記した方法以外にも、メモリ書き込みスイッチ１１０を押した状態を保持することで、メモリ書き込み待機状態となり、エンコーダ１０２にて書き込みたいチャネルを選択し、メモリ書き込みスイッチを離すと書き込みが行われるといった方法でもよい。
メモリネームの設定は、周波数を書き込んだ後に十字キー１１１にて各種設定機能よりメモリネームを編集する機能を選択し、必要なメモリチャネルに必要な文字を選択して設定する等入力手段は問わない。
また、携帯型無線機１００にコンピュータに接続できる端子を備えることで、コンピュータ上にてメモリチャネルの周波数やメモリネームを設定して書き込めるようにしてもよい。
【符号の説明】
【００５２】
１００：携帯型無線機、  １０１：アンテナ、  １０２：エンコーダ、
１０３：スピーカグリル、  １０４：マイク孔、  １０５：ＰＴＴスイッチ
１０６：モニタスイッチ、  １０７：表示部、  １０８：電源スイッチ、
１０９：ＶＦＯ／メモリ切替スイッチ、  １１０：メモリ書き込みスイッチ、
１１１：十字キー
２０１：無線部、  ２０２：ミュート部、  ２０３：スピーカ、
２０４：マイク、
２０５：制御部、
２０５ａ：ミュート制御部２０５ａ：周波数操作部、２０５ｂ：表示制御部、
２０５ｃ：周波数制御部、  ２０５ｄ：メモリチャネル制御部、
２１０：記憶部、
【図１】
2011259139.tif 000003
【図２】
2011259139.tif 000004
【図３】
2011259139.tif 000005
【図４】
2011259139.tif 000006
【図５】
2011259139.tif 000007